(57)【特許請求の範囲】
【請求項１】
与えられた画像データに基づいて、複数の画素にて濃度階調を表現するため、画素データに対応するパルス幅変調信号に従ってレーザ光が感光ドラム上を走査し静電潜像を生成し、該静電潜像を現像することで出力画像を形成する画像処理装置において、
画像モードが自然画モードであるか或いは文字モードであるかを判断する判断手段と、
画素データをもとに画素の濃度レベルを判定する判定手段と、
前記判断手段で自然画モードであると判断された場合には、前記判定手段により判定される濃度レベルが出力画像を形成する際に安定して出力できる最低濃度レベル以下である場合において、前記レーザ光の走査方向に隣接する２つの画素の濃度レベルを一方の画素に集中するための集中度に応じて集中処理を行ったうえで、前記パルス幅変調信号を生成して出力画像を形成するよう制御する一方、前記判断手段で文字モードであると判断された場合には、前記判定手段により判定される濃度レベルが前記最低濃度レベル以下であったとしても、前記隣接する２つの画素の集中度を等しくすることで前記集中処理を行わないようにしたうえで、前記パルス幅変調信号を生成して出力画像を形成するよう制御する手段と、
前記最低濃度レベル以下となる画素について前記集中度に応じて集中処理を行い前記濃度階調を変える手段と
を備えることを特徴とする画像処理装置。
【請求項２】
前記画素の集中度は、あらかじめ決めた複数の特性を有するルックアップテーブルを参照して決定することを特徴とする請求項１に記載の画像処理装置。
【請求項３】
前記画像モードには、自然画・文字混在モードが含まれることを特徴とする請求項１または請求項２のいずれかに記載の画像処理装置。
【請求項４】
与えられた画像データに基づいて、複数の画素にて濃度階調を表現するため、画素データに対応するパルス幅変調信号に従ってレーザ光が感光ドラム上を走査し静電潜像を生成し、該静電潜像を現像することで出力画像を形成する画像処理方法において、
画像モードが自然画モードであるか或いは文字モードであるかを判断する判断工程と、
画素データをもとに画素の濃度レベルを判定する判定工程と、
前記判断工程で自然画モードであると判断された場合には、前記判定工程により判定される濃度レベルが出力画像を形成する際に安定して出力できる最低濃度レベル以下である場合において、前記レーザ光の走査方向に隣接する２つの画素の濃度レベルを一方の画素に集中するための集中度に応じて集中処理を行ったうえで、前記パルス幅変調信号を生成して出力画像を形成するよう制御する一方、前記判断工程で文字モードであると判断された場合には、前記判定工程により判定される濃度レベルが前記最低濃度レベル以下であったとしても、前記隣接する２つの画素の集中度を等しくすることで前記集中処理を行わないようにしたうえで、前記パルス幅変調信号を生成して出力画像を形成するよう制御する工程と、
前記最低濃度レベル以下となる画素について前記集中度に応じて集中処理を行い前記濃度階調を変える工程と
を備えることを特徴とする画像処理方法。
【請求項５】
前記画素の集中度は、あらかじめ決めた複数の特性を有するルックアップテーブルを参照して決定することを特徴とする請求項４に記載の画像処理方法。
【請求項６】
前記画像モードには、自然画・文字混在モードが含まれることを特徴とする請求項４または請求項５のいずれかに記載の画像処理方法。
【発明の詳細な説明】
【０００１】
【発明の属する技術分野】
本発明は、原稿画像を読み取って所定の画像を形成する画像処理装置及び画像処理方法及び該画像処理のプログラムコードが格納されたコンピュータ可読媒体に関するものである。
【０００２】
【従来の技術】
従来より、画像処理装置において、画像の高解像度化を行なうと、１つのドットの再現が不安定になり、ハイライトのガサツキが目立ってくるため、隣り合った２画素でお互いに変調し合い、ドットを集中することにより、このハイライトのガサツキなどを低減する手法が知られている。
【０００３】
【発明が解決しようとする課題】
しかしながら、上記従来の方法では、ドットを集中化することが実質的には解像度を下げることになり、特に濃度の薄い文字の品位が低下するという問題がある。
【０００４】
本発明は、上述の課題に鑑みてなされたもので、その目的とするところは、自然画のハイライトのガサツキを抑え、また、文字の品位を低下させずに出力を行なえる画像処理装置及び画像処理方法及び該画像処理のプログラムコードが格納されたコンピュータ可読媒体を提供することである。
【０００５】
【課題を解決するための手段】
上記の目的を達成するため、本発明は、与えられた画像データに基づいて、複数の画素にて濃度階調を表現するため、画素データに対応するパルス幅変調信号に従ってレーザ光が感光ドラム上を走査し静電潜像を生成し、該静電潜像を現像することで出力画像を形成する画像処理装置において、
画像モードが自然画モードであるか或いは文字モードであるかを判断する判断手段と、
画素データをもとに画素の濃度レベルを判定する判定手段と、
前記判断手段で自然画モードであると判断された場合には、前記判定手段により判定される濃度レベルが出力画像を形成する際に安定して出力できる最低濃度レベル以下である場合において、前記レーザ光の走査方向に隣接する２つの画素の濃度レベルを一方の画素に集中するための集中度に応じて集中処理を行ったうえで、前記パルス幅変調信号を生成して出力画像を形成するよう制御する一方、前記判断手段で文字モードであると判断された場合には、前記判定手段により判定される濃度レベルが前記最低濃度レベル以下であったとしても、前記隣接する２つの画素の集中度を等しくすることで前記集中処理を行わないようにしたうえで、前記パルス幅変調信号を生成して出力画像を形成するよう制御する手段と、
前記最低濃度レベル以下となる画素について前記集中度に応じて集中処理を行い前記濃度階調を変える手段とを備える。
【０００６】
さらに、他の発明は、  与えられた画像データに基づいて、複数の画素にて濃度階調を表現するため、画素データに対応するパルス幅変調信号に従ってレーザ光が感光ドラム上を走査し静電潜像を生成し、該静電潜像を現像することで出力画像を形成する画像処理方法において、
画像モードが自然画モードであるか或いは文字モードであるかを判断する判断工程と、
画素データをもとに画素の濃度レベルを判定する判定工程と、
前記判断工程で自然画モードであると判断された場合には、前記判定工程により判定される濃度レベルが出力画像を形成する際に安定して出力できる最低濃度レベル以下である場合において、前記レーザ光の走査方向に隣接する２つの画素の濃度レベルを一方の画素に集中するための集中度に応じて集中処理を行ったうえで、前記パルス幅変調信号を生成して出力画像を形成するよう制御する一方、前記判断工程で文字モードであると判断された場合には、前記判定工程により判定される濃度レベルが前記最低濃度レベル以下であったとしても、前記隣接する２つの画素の集中度を等しくすることで前記集中処理を行わないようにしたうえで、前記パルス幅変調信号を生成して出力画像を形成するよう制御する工程と、
前記最低濃度レベル以下となる画素について前記集中度に応じて集中処理を行い前記濃度階調を変える工程とを備える。
【０００７】
さらに、他の発明は、与えられた画像データに基づいて、複数の画素にて濃度階調を表現することで出力画像を形成する画像処理方法をコンピュータに実行させるためのプログラムコードが格納されたコンピュータ可読媒体であって、画像モードが自然画モードであるか或いは文字モードであるかを判断する判断工程を実行するためのプログラムコードと、前記画像データをもとに画像の濃度レベルを判定する判定工程を実行するためのプログラムコードと、前記判断工程および判定工程により、低濃度レベルであり、かつ、自然画モードである場合に、あらかじめ決めた走査方向に対する前記出力画像における前記複数の画素の集中度を決定したうえで集中化を行い、文字モードの場合には前記画素の集中化を行なわないように制御する工程を実行するためのプログラムコードと、前記決定された画素の集中度に応じて前記濃度階調を変える工程を実行するためのプログラムコードとを備える。
【０００８】
【発明の実施の形態】
以下、添付図面を参照して、本発明に係る実施の形態を詳細に説明する。
【０００９】
図１は、本発明の実施の形態に係る画像記録装置の概観構成を示す図である。同図において、原稿１１０１は、ランプ１１０３によって照射され、原稿１１０１からの反射光は、レンズなどで構成される光学系１１０４により、例えば、電荷結合素子（ＣＣＤ）などで構成されるラインイメージセンサ（ＣＣＤセンサ）１１０５に入力される。このＣＣＤセンサ１１０５などからなる画像読み取りユニットは、図示しない駆動系により副走査方向に走査されて、原稿１１０１全体の画像を読み取る。
【００１０】
後述するように、ＣＣＤセンサ１１０５から出力された画像信号は、レーザードライバ１１０６及びレーザー光源１１０７により、レーザー光に変換される。そして、レーザー光源１１０７から出力されたレーザー光は、ポリゴンミラー１００１及びミラー１００２により反射、導かれて、感光体ドラム１００４を走査される。感光体ドラム１００４は、図中、矢印にて示す方向に回転し、上記のレーザー光の走査により、その表面に潜像が形成される。そして、感光体ドラム１００４上に形成された潜像は、回転現像器１００３により、各色成分（Ｙ（Ｙｅｌｌｏｗ）、Ｍ（Ｍａｇｅｎｔａ）、Ｃ（Ｃｙａｎ）、Ｋ（Ｂｌａｃｋ））ごとに現像される。なお、図１は、イエロー（Ｙ）トナーによる現像が行なわれている状態を示している。
【００１１】
一方、給紙カム１００９と給紙ローラー１０１０により、記録紙カセット１００８から供給された記録紙は、レジストローラー１１１１により所定のタイミングで転写ドラム１００５へ送られ、転写ドラム１００５に巻き付けられる。そして、転写ドラム１００５が一回転するごとに、Ｙ，Ｍ，Ｃ，Ｋの順に、各色のトナー像が転写され、転写ドラム１００５が、計４回回転すると、トナー像の転写が終了する。
【００１２】
このトナー像が転写された記録紙は、転写ドラム１００５から剥離され、定着ローラー対１００７により記録紙上のトナー像が定着されて、カラー画像プリントが完成した後、本装置外へ排出される。なお、本実施の形態に係る装置が使用するトナーは、スチレン系重合樹脂をバインダとし、各色の色剤を分散して生成したものである。
【００１３】
図２は、本実施の形態に係る、階調画像を得るための画像信号処理回路の一例を示すブロック図である。同図において、ＣＰＵ２１４は、ＲＯＭ２１６などにあらかじめ格納されたプログラムによって、以下に説明する各構成を含む、本装置全体の制御を行なう。また、ＲＡＭ２１５は、ＣＰＵ２１４によりワークエリアとして利用され、ＲＯＭ２１６には、上述の制御プログラムの他に画像処理パラメータなども格納されている。操作部２１７は、例えば、キーボードやタッチパネル、ＬＣＤなどの表示器２１８を有し、オペレータからの指示をＣＰＵ２１４へ伝えたり、ＣＰＵ２１４によって、本装置の動作条件や動作状況を指示したりする。
【００１４】
アドレスカウンタ２１２は、クロック発生部２１１で発生された１画素単位のクロックＣＬＫをカウント（計数）して、１ラインの画素アドレスを表わす主走査アドレス信号をデコードして、シフトパルスやリセットパルスなど、ライン単位にＣＣＤセンサ１１０５を駆動する信号２１９や、ＣＣＤセンサ１１０５から出力された１ライン分の信号中の有効領域を表わす信号ＶＥ、ライン同期信号ＨＳＹＮＣなどを生成する。なお、アドレスカウンタ２１２は、ライン同期信号ＨＳＹＮＣの入力でクリアされ、次ラインの主走査アドレスの計数を開始する。
【００１５】
ＣＣＤセンサ１１０５から出力された画像信号は、アナログ信号処理部２０１に入力され、そこで増幅度やオフセットが調整された後、Ａ／Ｄ変換部２０２で各色成分ごとに、例えば、８ｂｉｔのＲＧＢデジタル画像信号に変換され、次段のシェーディング補正部２０３において、各色ごとに、基準白色板を読み取った信号を用いる公知のシェーディング補正が施される。
【００１６】
ラインディレイ部２０４は、シェーディング補正部２０３から出力された画像信号に含まれている空間的ずれを補正する。この空間的ずれは、ＣＣＤセンサ１１０５を構成する各ラインセンサが、副走査方向に、互いに所定の距離を隔てて配置されていることにより生じるものである。具体的には、Ｂ色成分信号を基準として、Ｒ及びＧの各色成分信号を副走査方向にライン延長し、３つの色成分信号の位相を同期させる。
【００１７】
なお、補正部１１０８は、後述するように、ラインディレイ部２０４から出力された画像信号に輝度補正を施す。
【００１８】
入力マスキング部２０５は、補正部１１０８から出力された画像信号の色空間を、下記の式（１）にて示されるマトリクス演算により、ＮＴＳＣの標準色空間に変換する。つまり、ＣＣＤセンサ１１０５から出力された各色成分信号の色空間は、各色成分のフィルタの分光特性で決まっているが、これをＮＴＳＣの標準色空間に変換する。
【００１９】
0003666994.tif 000002
ただし、Ｒ０，Ｇ０，Ｂ０：出力画像信号
Ｒｉ，Ｇｉ，Ｂｉ：入力画像信号
である。
【００２０】
ＬＯＧ変換部２０６は、例えば、ＲＯＭなどからなるルックアップテーブルで構成され、入力マスキング部２０５から出力されたＲＧＢ輝度信号をＣＭＹ濃度信号に変換する。また、ライン遅延メモリ２０７は、その不図示の黒文字判定部が、入力マスキング部２０５の出力から制御信号ＵＣＲ，ＦＩＬＴＥＲ，ＳＥＮなどを生成する期間（ライン遅延）分、ＬＯＧ変換部２０６から出力された画像信号を遅延する。
【００２１】
マスキング・ＵＣＲ部２０８は、ライン遅延メモリ２０７から出力された画像信号より黒成分信号Ｋを抽出し、さらに、プリンタ部の記録色材の色濁りを補正するマトリクス演算を、ＹＭＣＫ画像信号に施して、リーダ部の各読み取り動作ごとにＭ，Ｃ，Ｙ，Ｋ順に、例えば、８ビットの色成分画像信号を出力する。なお、このマトリクス演算に使用するマトリクス係数は、ＣＰＵ２１４によって設定される。
【００２２】
ガンマ補正部２０９は、画像信号をプリンタ部の理想的な階調特性に合わせるために、マスキング・ＵＣＲ部２０８から出力された画像信号に濃度補正を施す。出力フィルタ（空間フィルタ処理部）２１０は、ＣＰＵ２１４からの制御信号に従って、ガンマ補正部２０９から出力された画像信号にエッジ強調、またはスムージング処理を施す。
【００２３】
ルックアップテーブル（ＬＵＴ）２５は、詳細は後述するが、原画像の濃度と出力画像の濃度とを一致させるもので、例えば、ＲＡＭなどで構成され、その変換テーブルは、ＣＰＵ２１４によって設定される。また、パターンジェネレータ２９は、所定のテストプリントを発生し、パルス幅変調器（ＰＷＭ）２６は、入力された画像信号のレベルに対応するパルス幅を有するパルス信号を出力し、そのパルス信号は、上述のレーザー光源１１０７を駆動するレーザードライバ１１０６へ入力される。
【００２４】
本実施の形態では、パルス幅変換処理による階調再現を行なっているので、以下、このパルス幅変換処理について説明する。
【００２５】
パルス発生周期を可変にするため、各パルス発生周期に対応した三角波発生部を備え、それぞれコンパレータを用いてアナログビデオ信号と比較し、所望のパルス幅変調信号を作成している。そして、それらの変調信号を、入力画素周期単位でスクリーンデータの値に対応して選択し、パルス幅変調信号として出力する。
【００２６】
図３は、本実施の形態に係るパルス波形を示し、図４に、これらの波形を発生させるための簡単な回路（パルス幅変調回路）を示す。なお、図３の各波形の横に付した数字は、図４の回路図中の数字に対応している。
【００２７】
図４に示すパルス幅変調回路では、所定周波数のパルス信号（１）を入力した三角波発生部（２００ｄｐｉ）５０２と三角波発生部（４００ｄｐｉ）５０３とが、それぞれ三角波（４），（２）を発生し、それらが個々に、デジタル画像データをＤＡ変換器５０１で変換した信号とコンパレータ５０４，５０５にて比較される。その結果得られた信号（３），（５）は、アンプ５０６で所定振幅の信号に増幅され、レーザダイオード５０７の駆動信号となる。
【００２８】
本実施の形態では、ドットの集中化を行なうために、以下のような方法を用いている。すなわち、使用しているプリンターが０〜４０レベルまでは、潜像及び現像が不安定で、ドットが不安定な領域であるとした場合、これら０〜４０までのレベルでの使用を回避するのがよい。そのため、図５に示すように、副走査方向の列をＡ，Ｂ，Ａ，Ｂ…と分けていき、Ａ列とＢ列とで別のＬＵＴ（図６に示す入出力特性を有する）を参照する。
【００２９】
このようにすることで、実際に３０レベルという信号が入力された場合、図６に示す特性曲線より、Ａ列では出力が５０となり、Ｂ列では１０というレベルを出力することになる。
【００３０】
図７は、低濃度から高濃度になるにつれてのドット再現のイメージを示す図である。同図から分かるように、低濃度部では２００×４００ｄｐｉであり、高濃度部になるにつれて４００×４００ｄｐｉになっていく。そこで、ドットの集中化の利点を以下に示す。
【００３１】
すなわち、ドットの集中化を行なわない場合、上述の例では、全面に３０レベルという不安定なレベルの画像を出力することになり、それが、がさついた画像になるが、ドットを集中化することにより、Ａ列では安定したドットとなり、Ｂ列は不安定ではあるが、Ａ列に比べると濃度が低いため濃度の揺らぎも縮小される。その結果、全体的に安定した画像を得ることができる。
【００３２】
なお、自然画の場合には、上記の処理は画質向上に有効であるが、濃度の薄い文字の場合には、上記の処理は実質的には解像度を下げることになるので、文字品位が落ちることになる。図８は、４００ｄｐｉで出力した文字を示し、図９は、上記の処理を施した出力例を示す。これらの比較から、上記の処理を施した場合、文字の線が主走査方向にとぎれとぎれになり、品位が落ちていることが分かる。
【００３３】
そこで、出力画像がこのようになるを避けるために、本実施の形態では、自然画モードと文字モードとを持ち、自然画では自然画モードを選択して、ドット集中化を行ない、低濃度部の均一性を上げて、良好な画像を得るようにしている。また、文字については、文字モードを選択することによって、高い文字品位を得る。
【００３４】
以上説明したように、本実施の形態によれば、自然画モード、文字モードなどの画像モードによって、複数画素の変調率を変えて画素の集中化を行なうことで、自然画では低濃度部の均一性を上げて良好な画像を得、また、文字については、高い文字品位を得ることができる。
［変形例の説明］
本発明は、上述の実施の形態に限定されず、種々変形が可能である。以下、上記実施の形態の変形例を説明する。なお、以下の変形例に係る画像記録装置は、上記の実施の形態に係る画像記録装置と同一構成をとるため、ここでは、それらの図示及び説明を省略する。
＜変形例１＞
上記の実施の形態では、処理モードとして自然画と文字の２つに対応するモードを持たせているが、ドットを集中化するときの変調テーブルを数段持つことにより、文字／自然画混合画像にも対応できるモードを有するようにしてもよい。
【００３５】
図１１は、本変形例に係る文字／自然画優先切り替えスイッチを示し、ここに示した例では、文字／自然画の調整レベルを５段階有する。つまり、文字を優先する場合には、本スイッチを「文字優先」の方に設定し、自然画を優先する場合は、「自然画優先」の方に設定する。図中の三角形が、その設定位置を示している。そして、文字／自然画混在の画像に対しては、これらの中間のレベルで出力することによって、どちらに対しても遜色のない画像を得ることができる。
【００３６】
なお、図１０は、本変形例に係るドット集中化テーブルを示す図であり、図１１と図１０とにおいて、図中の数値は相互に対応している。
【００３７】
このように、文字／自然画混載の画像に対して中間レベルの出力を行なうことで、文字画像、自然画はもちろん、文字／自然画混載の原稿も、文字の品位を著しく落とすことなく、また、自然画の画質を向上（ハイライト部のがさつき削減）させることができる。
＜変形例２＞
上記の実施の形態及びその変形例１では、ドットの集中化をする場合、常にＡ列側に集中させているが、本変形例では、図１２に示すように、副走査方向に奇数行はＡ列に、偶数行はＢ列にドットを集中化させている。
【００３８】
上記実施の形態、変形例１のように、すべてＡ列にドットを集中化させると、濃度によっては、副走査方向は４００ｄｐｉであるが、主走査方向は２００ｄｐｉとなり、図９に示すように、出力文字画像において、その主走査方向に隙間ができ、文字の品位を著しく落とすことになる。そこで、本変形例では、Ａ列とＢ列とで交互にドットを集中化させる。具体的には、このようなドットの集中化により、図１２に示す、斜め４５度の２８３ｄｐｉと等価な解像度になる。
【００３９】
これによって、ドット間の最大距離は、２００×４００ｄｐｉに比べて約２／３となり、薄文字における画像の隙間の問題が飛躍的に改善され、薄文字の品位が向上する。そして、変形例１と同レベルのドット集中化を行なっても、薄文字の品位が落ちないので、文字／自然画混在原稿でも、よりドットの集中化を行なうことができ、自然画の画質（ハイライトのなめらかさ）を向上できる。
【００４０】
なお、人間の目について、視覚のＭＴＦ特性は、約２７０ｄｐｉ以上でほぼ０になるため、２００×４００ｄｐｉでは、自然画でも２００ｄｐｉの縦線が見えてしまうが、２８３ｄｐｉにした場合、それが目に見えない。よって、このようにドットの集中化を交互に行なうことは、４００ｄｐｉ以上で特に効果的である。
【００４１】
本発明は、複数の機器（例えば、ホストコンピュータ，インタフェイス機器，リーダ，プリンタなど）にて構成されるシステムから、プリンタ（画像形成装置）のプリントのための画像信号を出力する場合に適用しても、一つの機器からなる装置（例えば、複写機，ファクシミリ装置など）に適用してもよい。
【００４２】
また、上述した実施形態の機能を実現するために、各種デバイスを動作させるよう該各種デバイスと接続された装置あるいはシステム内のコンピュータ（ＣＰＵやＭＰＵ）に、上記実施形態の機能を実現するためのソフトウェアのプログラムコードを供給し、そのシステムあるいは装置のコンピュータが、該格納されたプログラムコードに従って、上記各種デバイスを動作させる実施形態も本願発明の範疇に含まれる。
【００４３】
この場合、前記ソフトウエアのプログラムコード自体が、上述した実施形態の機能を実現することになり、そのプログラムコード自体、及びプログラムコードをコンピュータに供給するための手段、例えば、かかるプログラムコードを格納した記憶媒体は本発明を構成することになる。
【００４４】
かかるプログラムコードを格納する記憶媒体としては、例えば、フロッピディスク，ハードディスク，光ディスク，光磁気ディスク，ＣＤ−ＲＯＭ，磁気テープ，不揮発性のメモリカード，ＲＯＭなどを用いることができる。
【００４５】
また、コンピュータが、供給されたプログラムコードを実行することにより、上述した実施形態の機能が実現されるだけでなく、そのプログラムコードがコンピュータにおいて稼働しているＯＳ（オペレーティングシステム）、あるいは他のアプリケーションソフトなどと共同して、上述した実施形態の機能が実現される場合にも、かかるプログラムコードは本願発明の実施形態含まれることは言うまでもない。
【００４６】
さらに、供給されたプログラムコードが、コンピュータの機能拡張ボードやコンピュータに接続された機能拡張ユニットに備わるメモリに格納された後、そのプログラムコードの指示に基づいて、その機能拡張ボードや機能拡張ユニットに備わるＣＰＵなどが実際の処理の一部または全部を行ない、その処理によって、上述した実施形態の機能が実現される場合も本願発明に含まれることは言うまでもない。
【００４７】
【発明の効果】
以上説明したように、本発明によれば、画像モードによって、複数の画素の集中度を決定し、該画素の濃度階調を変えることで、自然画のハイライトのガサツキを抑え、また、文字についてはその品位を落とさずに出力できる。
【００４８】
【図面の簡単な説明】
【図１】本発明の実施の形態に係る画像記録装置の概観構成を示す図である。
【図２】階調画像を得るための画像信号処理回路の一例を示すブロック図である。
【図３】  本実施の形態に係るパルス波形を示す図である。
【図４】本実施の形態に係るパルス幅変調回路を示す図である。
【図５】本実施の形態に係るドットの集中化を説明するための図である。
【図６】本実施の形態に係るドット集中化テーブルを示す図である。
【図７】本実施の形態に係る濃度域別ドット構成を示す図である。
【図８】４００×４００ｄｐｉの出力文字画像を示す図である。
【図９】２００×４００ｄｐｉの出力文字画像を示す図である。
【図１０】変形例１に係るドット集中化テーブルを示す図である。
【図１１】変形例１に係る文字／自然画優先切り替えスイッチを示す図である。
【図１２】変形例２に係るドット集中化の画素構成を示す図である。
【符号の説明】
１００１  ポリゴンミラー
１００２  ミラー
１００３  現像器
１００４  感光ドラム
１００５  転写ドラム
１００７  定着ローラー対
１１０１  原稿
１１０３  光源
１１０４  光学系
１１０５  ＣＣＤセンサ
１１０６  レーザードライバ
１１０７  レーザー光源
【図１】
0003666994.tif 000003
【図２】
0003666994.tif 000004
【図３】
0003666994.tif 000005
【図４】
0003666994.tif 000006
【図５】
0003666994.tif 000007
【図６】
0003666994.tif 000008
【図７】
0003666994.tif 000009
【図８】
0003666994.tif 000010
【図９】
0003666994.tif 000011
【図１０】
0003666994.tif 000012
【図１１】
0003666994.tif 000013
【図１２】
0003666994.tif 000014